(57)【要約】【課題】接続箇所の外観が優れるとともに、漏水することなく竪樋どうしをしっかりと接続することのできる竪樋内継手を提供する。【解決手段】上方の竪樋７と下方の竪樋８とに挿入、内嵌して竪樋どうしを接続する内継手であって、該内継手の挿入筒部Ａの端部を縦方向に切込んで切込み部を形成し、この切込み部の先に尖端２を形成するとともに、終端３へ向けて筒壁をらせん状に切り欠いてらせん状切り込み部４を形成し、上記切込み部の垂直切込み面が接着剤を掻き取るための掻き取り部１とされた竪樋内継手。【選択図】図３
2006063548.tif 000002
【特許請求の範囲】
【請求項１】
上方の竪樋と下方の竪樋とに挿入、内嵌して竪樋どうしを接続する内継手であって、該内継手の挿入筒部の端部を縦方向に切込んで切込み部を形成し、この切込み部の先に尖端を形成するとともに、終端へ向けて筒壁をらせん状に切り欠いてらせん状切欠き部を形成し、上記切込み部の垂直切込み面が接着剤を掻き取るための掻き取り部とされた竪樋内継手。
【請求項２】
上記挿入筒部のうち、下部挿入筒部に切込み部を形成するとともに、垂直切込み面にテーパ部を設けて掻き取り部をナイフエッジとした請求項１に記載の竪樋内継手。
【請求項３】
上記らせん状切欠き部の下端に沿って接着剤の垂れを防止するリブが内向きに凸設された請求項１に記載の竪樋内継手。
【請求項４】
上記下部挿入筒部の外周面に案内用のリード部が周設された請求項１に記載の竪樋内継手。
【発明の詳細な説明】
【技術分野】
【０００１】
本発明は、竪樋内継手に関する。さらに詳しくは、上方の竪樋と下方の竪樋とに内嵌して竪樋どうしを接続する竪樋内継手に関する。
【背景技術】
【０００２】
従来、上記竪樋内継手の構造に関しては種々の技術が提案されている。例えば、内継手外周面略中央部に鍔部を周設し、この鍔部によって上方の竪樋に内挿する上部挿入筒部と下方の竪樋に内挿する下部挿入筒部とに区分し、下部挿入筒部の先端部分に先細形状となったテーパ部が形成されるとともに、上部挿入筒部の中程外周に接着剤溜凹溝が形成された内継手が知られている。
【特許文献１】特開平５−２４８０４８号公報（第１−３頁、第１、２、３図）
【発明の開示】
【発明が解決しようとする課題】
【０００３】
通常、竪樋内継手を用いるとき、上方の竪樋と下方の竪樋との接続部位の内面に、予め接着剤を塗布し、その後竪樋内継手を挿入、接着させて竪樋を相互に接続する。しかしながら、現場での施工の際、接着剤の塗布量にバラツキがあり、塗布量が少ないと接着が不十分となり、必要以上に接着剤を用いると長期の間に化学反応が発生し、竪樋の変色や凹凸の発生、膨潤等の問題が生じる。本発明はこのような問題を解決して、均一な量の接着剤を塗布し、接続箇所の外観に優れるとともに、漏水することなく竪樋どうしをしっかりと接続することのできる竪樋内継手を提供することを、その課題とする。
【課題を解決するための手段】
【０００４】
上記課題を解決するために、本発明においては、つぎのような技術的手段を講じている。すなわち、本発明によれば、上方の竪樋と下方の竪樋とに挿入、内嵌して竪樋どうしを接続する内継手であって、該内継手の挿入筒部の端部を縦方向に切込んで切込み部を形成し、この切込み部の先に尖端を形成するとともに、終端へ向けて筒壁をらせん状に切り欠いてらせん状切り欠き部を形成し、上記切込み部の垂直切込み面が接着剤を掻き取るための掻き取り部とされた竪樋内継手が提供される。
【０００５】
上記挿入筒部のうち、下部挿入筒部に切込み部を形成するとともに、垂直切込み面にテーパ部を設けて掻き取り部をナイフエッジとすることが好ましい。また、上記らせん状切欠き部の下端に沿って接着剤の垂れを防止するリブを内向きに凸設することが好ましい。さらに好ましくは、上記下部挿入筒部の外周面に案内用のリード部が周設される。
【発明の効果】
【０００６】
請求項１に記載の発明は上記のとおりであり、竪樋内継手の挿入筒部の筒壁をらせん状に切り欠き、上記らせん状切欠き部の垂直切込み面が、接着剤を掻き取るための掻き取り部とされているため、上記挿入筒部を回転しながら竪樋に挿入したとき、予め、竪樋の内面に塗布された接着剤のうち、余分量が上記掻き取り部で掻き取られ、塗布量を均一として良好な接着性を得ることができる。
【０００７】
上記挿入筒部のうち、下部挿入筒部に切込み部を形成するとともに、垂直切込み面をテーパ部として掻き取り部をナイフエッジとすることにより、より滑らかに接着剤を掻き取ることができる。
【０００８】
また、上記らせん状切欠き部の下端に沿って接着剤の垂れを防止するリブが内向きに凸設されているため、上記掻き取り部によって掻き取られた接着剤が、接着剤垂れ防止リブ上に溜められ、下方の竪樋の内面に垂れ落ちることを防ぐ。さらに、上記下部挿入筒部の外周面に案内用のリード部が周設されているため、上記挿入筒部を回転しながら竪樋に挿入したとき、容易に挿入することができるとともに、一旦挿入された後は、簡単に抜けることを防ぐ。
【発明を実施するための最良の形態】
【０００９】
以下、本発明の実施形態について図面を参照して、詳細に説明する。図１は、本発明の第一実施形態にかかる竪樋内継手を示す正面図であり、内継手の外周面に鍔部６を周設し、この鍔部６によって上方の竪樋に挿入、内嵌する上部の挿入筒部と下方の竪樋に挿入、内嵌する下部の挿入筒部Ａとに区分される。図１からよくわかるように、上記下部挿入筒部Ａの端部は縦方向に切込まれ、この切込み部の先に尖端２を形成するとともに、この尖端２から上記切込み部の終端３へ筒壁をらせん状に切欠いてらせん状切欠き部４が設けられ、上記尖端２と終端３とを結ぶ垂直切込み面は、余分の接着剤を掻き取るための掻き取り部１とされている。
【００１０】
図２は、図１におけるＸ−Ｘ線に沿う平断面図である。図２によく示されているように、上記掻き取り部１にはテーパ部１１が設けられ、滑らかに接着剤を掻き取れるようナイフエッジとされている。また、上記図１に示されているように、下部挿入筒部Ａが下方の竪樋に容易にねじ込み挿入できるように、その周囲にリード部５が下部挿入筒部Ａと一体的に周設されている。
【００１１】
図３は、本発明の第二実施形態にかかる竪樋内継手を示す斜視図である。図３からよくわかるように、本実施形態においては、らせん状切欠き部４の下縁部全域に筒部中心方向に突出する棚状の接着剤垂れ防止リブ１２が凸設されている。下部挿入筒部Ａをそのリード部５をガイドとして下方の竪樋８にねじ込み挿入するとき、下方の竪樋８の内面に予め塗布されていた接着剤９の過剰塗布量をナイフエッジ状のテーパ部１１からなる掻き取り部１によって掻き取りこの掻き取られた接着剤は、この接着剤垂れ防止リブ１２上に溜められ、下方の竪樋の内面に垂れ落ちることを防ぐ。
【００１２】
図４は、第二実施形態にかかる竪樋内継手の下部挿入筒部Ａを下方の竪樋８に装着した状態を示す一部断面説明図である。図４において、上方の竪樋７と下方の竪樋８とは縦断面で示す。図４から接着剤９が下部挿入筒部Ａと下方の竪樋８との間に均一な接着剤層を形成し、掻き取られた余分な接着剤９１が接着剤垂れ防止リブ１２に溜められていることがわかる。このように、本発明の竪樋内継手を用いることにより、接続箇所の外観に優れるとともに、漏水することなく竪樋どうしをしっかりと接続することができる。
【図面の簡単な説明】
【００１３】
【図１】本発明の第一実施形態にかかる竪樋内継手を示す正面図である。
【図２】図１におけるＸ−Ｘ線に沿う平断面図である。
【図３】本発明の第二実施形態にかかる竪樋内継手を示す斜視図である。
【図４】本発明の第二実施形態にかかる竪樋内継手を使用して竪樋どうしを接着した状態を示す一部断面説明図である。
【符号の説明】
【００１４】
Ａ          下部挿入筒部
１          掻き取り部
１１        テーパ部
１２        接着剤垂れ防止リブ
２          切込み部の先に形成された尖端
３          切込み部の終端
４          らせん状切欠き部
５          リード部
６          鍔部
７          上方の竪樋
８          下方の竪樋
９          接着剤
９１        掻き取られた接着剤
【図１】
2006063548.tif 000003
【図２】
2006063548.tif 000004
【図３】
2006063548.tif 000005
【図４】
2006063548.tif 000006